(57)【要約】【課題】ＡＥＣにおいて、複数の関心領域から高速に信号を取得するのに有利な技術を提供する。【解決手段】複数の画素と複数の画素を行単位で駆動するための複数の行信号線が接続された複数の駆動回路と制御部とを含み、制御部は、放射線の照射前に、複数の画素から放射線の照射中に入射した放射線の線量を計測するための２つ以上の検出画素を設定するために、複数の駆動回路のうち検出画素を駆動する２つ以上の駆動回路によって構成される駆動回路群に選択信号を供給し、駆動回路群に含まれる駆動回路のそれぞれに、複数の行信号線のうち検出画素が接続された行信号線を選択させ、放射線の照射中に、複数の行信号線のうち選択された行信号線に接続された画素を駆動させるための駆動信号を、駆動回路群に含まれるそれぞれの駆動回路に供給することによって、検出画素のそれぞれから入射した放射線の線量を計測するための信号を取得する。【選択図】図１
2020185342.tif 000002
【特許請求の範囲】
【請求項１】
放射線画像を取得するために行列状に配された複数の画素と、
前記複数の画素を行単位で駆動するための複数の行信号線がそれぞれ接続された複数の駆動回路と、
前記複数の駆動回路を制御するための制御部と、を含む放射線撮像装置であって、
放射線の照射前に、前記制御部は、前記複数の画素から放射線の照射中に入射した放射線の線量を計測するための２つ以上の検出画素を設定するために、前記複数の駆動回路のうち前記検出画素を駆動する２つ以上の駆動回路によって構成される駆動回路群に選択信号を供給し、前記駆動回路群に含まれる駆動回路のそれぞれに、前記複数の行信号線のうち前記検出画素が接続された行信号線を選択させ、
放射線の照射中に、前記制御部は、前記複数の行信号線のうち選択された行信号線に接続された画素を駆動させるための駆動信号を、前記駆動回路群に含まれるそれぞれの駆動回路に供給することによって、前記放射線撮像装置は、前記検出画素のそれぞれから入射した放射線の線量を計測するための信号を取得することを特徴とする放射線撮像装置。
【請求項２】
前記制御部は、前記複数の駆動回路のそれぞれの駆動回路ごとに個別に、前記駆動信号および前記選択信号を供給可能な構成を備えることを特徴とする請求項１に記載の放射線撮像装置。
【請求項３】
前記複数の画素は、前記検出画素として設定可能な画素と、前記検出画素として設定不可能な画素と、を含み、
前記制御部は、前記複数の駆動回路のうち前記設定可能な画素を駆動する駆動回路ごとに個別に、前記駆動信号および前記選択信号を供給可能な構成を備えることを特徴とする請求項１または２に記載の放射線撮像装置。
【請求項４】
放射線の照射前に、前記制御部は、前記駆動回路群に含まれる駆動回路に並行して前記選択信号を供給することを特徴とする請求項２または３の何れか１項に記載の放射線撮像装置。
【請求項５】
前記複数の画素は、前記検出画素として設定可能な画素と、前記検出画素として設定不可能な画素と、を含み、
前記制御部は、前記複数の駆動回路のうち前記設定可能な画素を駆動する駆動回路ごとに個別に、前記駆動信号を供給可能な構成を備えることを特徴とする請求項１または２に記載の放射線撮像装置。
【請求項６】
放射線の照射中に、前記制御部は、前記駆動信号を、前記駆動回路群に含まれるそれぞれの駆動回路ごとに個別に供給することを特徴とする請求項１乃至５の何れか１項に記載の放射線撮像装置。
【請求項７】
放射線の照射中に、前記制御部は、前記駆動信号を、前記駆動回路群に含まれるそれぞれの駆動回路に同時に供給することを特徴とする請求項１乃至５の何れか１項に記載の放射線撮像装置。
【請求項８】
放射線の照射中に、前記制御部は、前記駆動回路群に含まれない駆動回路に前記駆動信号を供給しないことを特徴とする請求項１乃至７の何れか１項に記載の放射線撮像装置。
【請求項９】
放射線の照射中に、前記制御部は、前記駆動回路群に含まれる駆動回路に、前記選択信号を供給しないことを特徴とする請求項１乃至８の何れか１項に記載の放射線撮像装置。
【請求項１０】
放射線の照射中に、前記制御部は、前記複数の駆動回路に、前記選択信号を供給しないことを特徴とする請求項１乃至９の何れか１項に記載の放射線撮像装置。
【請求項１１】
前記制御部は、前記駆動回路群に含まれる駆動回路のそれぞれに前記複数の行信号線のうち前記検出画素が接続された行信号線を選択させる間に、前記駆動回路群に含まれない駆動回路に、前記選択信号を供給しないことを特徴とする請求項１乃至１０の何れか１項に記載の放射線撮像装置。
【請求項１２】
前記複数の駆動回路のそれぞれが、シフトレジスタを含むことを特徴とする請求項１乃至１１の何れか１項に記載の放射線撮像装置。
【請求項１３】
前記検出画素のそれぞれは、前記複数の駆動回路のうちそれぞれ異なる駆動回路に接続されていることを特徴とする請求項１乃至１２の何れか１項に記載の放射線撮像装置。
【請求項１４】
ユーザによって放射線の照射開始が指示され、かつ、放射線が照射される前に、前記制御部は、前記駆動回路群に含まれる駆動回路のそれぞれに前記複数の行信号線のうち前記検出画素が接続された行信号線を選択させることを特徴とする請求項１乃至１３の何れか１項に記載の放射線撮像装置。
【請求項１５】
ユーザによって放射線の照射開始が指示される前に、前記制御部は、前記複数の駆動回路のそれぞれに、前記選択信号および前記駆動信号を供給することによって、前記複数の画素のそれぞれをリセットするリセット動作を行うことを特徴とする請求項１４に記載の放射線撮像装置。
【請求項１６】
前記放射線撮像装置は、前記複数の画素が配された検出部の面内方向の向きを検出するための回転検出部をさらに含み、
前記制御部は、前記回転検出部が検出した向きに応じて、前記検出画素から信号を取得する順番を変更することを特徴とする請求項１乃至１５の何れか１項に記載の放射線撮像装置。
【請求項１７】
前記検出画素は、第１検出画素と第２検出画素とを含み、
放射線の照射中に、前記制御部は、前記第１検出画素と前記第２検出画素とで、信号を取得するサンプリング周期を異ならせることを特徴とする請求項１乃至１６の何れか１項に記載の放射線撮像装置。
【請求項１８】
前記放射線撮像装置は、前記複数の画素から取得される信号に基づいて、入射した放射線の線量を計測する演算部をさらに含み、
前記演算部によって計測された放射線の線量が、予め設定された線量に到達した場合、または、予め設定された線量に到達することが予想された場合、前記放射線撮像装置は、前記放射線撮像装置に放射線を照射するための放射線発生装置に、放射線の照射を停止するための信号を送信することによって露出制御を行うことを特徴とする請求項１乃至１７の何れか１項に記載の放射線撮像装置。
【請求項１９】
請求項１乃至１８の何れか１項に記載の放射線撮像装置と、
前記放射線撮像装置からの信号を処理する信号処理部と、
を備えることを特徴とする放射線撮像システム。
【発明の詳細な説明】
【技術分野】
【０００１】
本発明は、放射線撮像装置および放射線撮像システムに関する。
【背景技術】
【０００２】
医療画像診断や非破壊検査において、半導体材料によって構成される平面検出器（フラットパネルディテクタ：ＦＰＤ）を用いた放射線撮像装置が広く使用されている。こうした放射線撮像装置において、放射線撮像装置に入射する放射線をリアルタイムで計測することが知られている。放射線量をリアルタイムで検出することによって、放射線の照射中に入射した放射線の積算線量を把握し自動露出制御（Ａｕｔｏｍａｔｉｃ  Ｅｘｐｏｓｕｒｅ  Ｃｏｎｔｒｏｌ：ＡＥＣ）を行うことが可能となる。ＡＥＣを行う際に、高い時間分解能を必要とする場合がある。特許文献１には、ＡＥＣ用に設定された検出素子が接続されたゲート線に対して、曝射開始から連続してハイレベルの信号を供給し、検出素子を連続してオン動作させることが示されている。特許文献１に示される動作は、常に検出素子から信号を取得できるため、高い時間分解能が実現できる可能性がある。また、特許文献２には、放射線の照射中に、ＡＥＣ用に設定された複数のセンサから、出力に応じた値が閾値を超えたセンサを有効センサグループから除外することが示されている。有効センサグループを構成するセンサの数を減らすことによって、サンプリング頻度を上げることが可能となる。
【先行技術文献】
【特許文献】
【０００３】
【特許文献１】特開２０１０−７５５５６号公報
【特許文献２】特開２０１６−１５７２１号公報
【発明の概要】
【発明が解決しようとする課題】
【０００４】
ＡＥＣを行う際に、複数の関心領域を設定する場合がある。特許文献１に示される動作では、信号をＡＥＣに用いられる検出素子が接続されたゲート線に常にハイレベルの信号が供給されるため、当該検出素子が接続されたゲート線以外に接続された検出素子から独立して信号を取得すことができない。つまり、特許文献１に示される動作は、複数の関心領域を設定する場合、同じゲート線に接続された検出素子を用いる必要があり、関心領域の設定の自由度が低くなってしまう。特許文献２に示される動作では、複数の関心領域の設定の自由度は高いが、有効センサグループから信号を取得するための複雑な回路構成が必要となりうる。
【０００５】
本発明は、ＡＥＣにおいて、複数の関心領域から高速に信号を取得するのに有利な技術を提供することを目的とする。
【課題を解決するための手段】
【０００６】
上記課題に鑑みて、本発明の実施形態に係る放射線撮像装置は、放射線画像を取得するために行列状に配された複数の画素と、複数の画素を行単位で駆動するための複数の行信号線がそれぞれ接続された複数の駆動回路と、複数の駆動回路を制御するための制御部と、を含む放射線撮像装置であって、放射線の照射前に、制御部は、複数の画素から放射線の照射中に入射した放射線の線量を計測するための２つ以上の検出画素を設定するために、複数の駆動回路のうち検出画素を駆動する２つ以上の駆動回路によって構成される駆動回路群に選択信号を供給し、駆動回路群に含まれる駆動回路のそれぞれに、複数の行信号線のうち検出画素が接続された行信号線を選択させ、放射線の照射中に、制御部は、複数の行信号線のうち選択された行信号線に接続された画素を駆動させるための駆動信号を、駆動回路群に含まれるそれぞれの駆動回路に供給することによって、放射線撮像装置は、検出画素のそれぞれから入射した放射線の線量を計測するための信号を取得することを特徴とする。
【発明の効果】
【０００７】
上記手段によって、ＡＥＣにおいて、複数の関心領域から高速に信号を取得するのに有利な技術を提供する。
【図面の簡単な説明】
【０００８】
【図１】本実施形態に係る放射線撮像装置を用いた放射線撮像システムの構成例を示す図。
【図２】図１の放射線撮像装置の構成例を示す等価回路図。
【図３】比較例の放射線撮像装置の制御部と駆動回路との接続例を示す等価回路図。
【図４】図３の制御部と駆動回路との動作例を示すタイミング図。
【図５】図１の放射線放射線撮像装置の動作例を示すフロー図。
【図６】図１の放射線撮像装置の制御部と駆動回路との接続例を示す等価回路図。
【図７】図６の制御部と駆動回路との動作例を示すタイミング図。
【図８】図６の関心領域の配置の変形例を示す図。
【図９】図１の放射線撮像装置の制御部と駆動回路との接続例を示す等価回路図。
【図１０】図９の制御部と駆動回路との動作例を示すタイミング図。
【図１１】図１の放射線撮像装置の制御部と駆動回路との接続例を示す等価回路図。
【図１２】図１１の制御部と駆動回路との動作例を示すタイミング図。
【図１３】図１の放射線撮像装置の配置例を示す模式図。
【図１４】図１３の配置における動作例のタイミング図。
【図１５】図１３の配置における動作例のタイミング図。
【図１６】図１３の配置における動作例のタイミング図。
【図１７】図１１の制御部と駆動回路との動作例を示すタイミング図。
【発明を実施するための形態】
【０００９】
以下、添付図面を参照して実施形態を詳しく説明する。尚、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１０】
また、本発明における放射線には、放射線崩壊によって放出される粒子（光子を含む）の作るビームであるα線、β線、γ線などの他に、同程度以上のエネルギを有するビーム、例えばＸ線や粒子線、宇宙線なども含みうる。
【００１１】
第１の実施形態
図１〜１２を参照して、本発明の一部の実施形態における放射線撮像装置について説明する。図１には、本実施形態における放射線撮像装置１００を用いた放射線撮像システムＳＹＳの構成例のブロック図が示されている。放射線撮像システムＳＹＳは、放射線撮像装置１００、制御用コンピュータ２００、放射線制御装置３００、放射線発生装置４００を含む。
【００１２】
放射線撮像装置１００は、放射線を検出する検出部１１２、検出部１１２からの電荷情報を演算して露光情報を出力する演算部１１７、露光情報に基づいて検出部１１２の駆動や放射線の照射を制御するための制御部１１６を含む。検出部１１２には、放射線画像を取得するために、放射線を検出するセンサを含む複数の画素が行列状に配され、入射した放射線に応じた信号を出力する。演算部１１７は、放射線の照射中に検出部１１２から出力された信号に基づいて、入射した放射線の線量を計測する。演算部１１７としては、ＦＰＧＡやＤＳＰ、プロセッサなどの、デジタル信号処理回路が用いられてもよい。演算部１１７は、サンプルホールド回路やオペアンプなどのアナログ回路を用いて構成してもよい。また、図１に示される構成では、演算部１１７は放射線撮像装置１００に含まれるが、演算部１１７が有する機能は、制御用コンピュータ２００に備えられていてもよい。制御部１１６は、制御用コンピュータ２００から入力する信号に基づいて検出部１１２を制御する。また、演算部１１７が出力した露光情報を用いて、制御部１１６は、検出部１１２の駆動方法を変更しうる。
【００１３】
制御用コンピュータ２００は、放射線撮像システムＳＹＳの全体の制御を行う。また、制御用コンピュータ２００は、ユーザ（放射線技師など）が放射線撮像システムＳＹＳを用いた放射線画像の撮像におけるユーザインタフェースとして機能しうる。例えば、ユーザが、制御用コンピュータ２００に放射線画像の撮像の条件などを入力し、入力された撮像の条件に応じて、制御用コンピュータ２００が、放射線撮像装置１００や放射線発生装置４００を制御する。さらに、制御用コンピュータ２００は、放射線撮像装置１００から出力される放射線画像を生成するための信号を処理する信号処理部を備えていてもよい。制御用コンピュータ２００は、放射線撮像装置１００から出力される放射線画像を生成するための信号を処理し、制御用コンピュータ２００に含まれる表示部や外部のディスプレイなどに、放射線撮像装置１００が撮像した放射線画像を表示させる。
【００１４】
放射線制御装置３００は、制御用コンピュータ２００から出力される信号に応じて放射線発生装置４００を制御する。放射線発生装置４００は、放射線制御装置３００から出力される信号に応じて、放射線を曝射する。
【００１５】
図２は、放射線撮像装置１００の構成例を示す等価回路図である。図２では、説明の簡便化のために３行×３列の画素を備える検出部１１２を示す。しかしながら、実際の放射線撮像装置はより多画素であり、例えば１７インチの放射線撮像装置では約３５００行×約３５００列の画素を有している。
【００１６】
検出部１１２は、行列状に配された複数の画素ＰＩＸを備える二次元検出器である。それぞれの画素ＰＩＸは、放射線または光を電荷に変換する変換素子１０２と、その電荷に応じた電気信号を出力するスイッチ素子１０１と、を含む。本実施形態では、変換素子１０２に照射された光を電荷に変換する光電変換素子として、ガラス基板などの絶縁性基板上に配されアモルファスシリコンなどの半導体材料を主材料とするＭＩＳ型フォトダイオードを用いるが、ＰＩＮ型フォトダイオードでもよい。また、変換素子１０２は、光電変換素子の放射線入射側に放射線を光電変換素子が感知可能な波長帯域の光に変換するシンチレータなどの波長変換体を含む。波長変換体は、画素ＰＩＸごとに配されていてもよいし、複数の画素ＰＩＸで共用される一体構造のものであってもよい。また、変換素子１０２は、上述のような間接型の変換素子に限られることはなく、放射線を直接電荷に変換する直接型の変換素子が用いられてもよい。スイッチ素子１０１は、制御端子と２つの主端子を有するトランジスタが用いられうる。本実施形態において、スイッチ素子１０１には、薄膜トランジスタ（ＴＦＴ）が用いられる。変換素子１０２の一方の電極はスイッチ素子１０１の２つの主端子の一方に電気的に接続され、他方の電極は共通のバイアス配線Ｂｓを介してバイアス電源１０３と電気的に接続される。行方向に並ぶ複数のスイッチ素子１０１（例えば、Ｔ１１、Ｔ１２、Ｔ１３。）は、それらの制御端子が、１行目の行信号線Ｖｇ１に共通に電気的に接続されており、駆動回路１１４からスイッチ素子１０１の導通状態を制御する駆動信号が行信号線Ｖｇ１を介して行単位で与えられる。列方向に並ぶ複数のスイッチ素子１０１（例えば、Ｔ１１、Ｔ２１、Ｔ３１。）は、他方の主端子が１列目の列信号線Ｓｉｇ１に電気的に接続されており、スイッチ素子１０１が導通状態である間に、変換素子の電荷に応じた信号を、列信号線Ｓｉｇ１を介して読出回路１１３に出力する。列方向に配された列信号線Ｓｉｇ１〜Ｓｉｇ３は、複数の画素ＰＩＸから出力される信号を並列に読出回路１１３に伝送する。
【００１７】
読出回路１１３には、検出部１１２から並列に出力された信号を増幅する増幅回路１０６が、列信号線Ｓｉｇごとに設けられている。また、増幅回路１０６は、出力された電気信号を増幅する積分増幅器１０５、積分増幅器１０５から入力する信号を増幅する可変増幅器１０４、増幅された信号をサンプルしホールドするサンプルホールド回路１０７を含む。積分増幅器１０５は、画素ＰＩＸから読み出された信号を増幅して出力する演算増幅器、積分容量、リセットスイッチを含む。積分増幅器１０５は、積分容量の値を変えることによって増幅率を変更することが可能である。積分増幅器１０５の反転入力端子に画素ＰＩＸから出力された電気信号が入力し、正転入力端子に基準電源１１１から基準電圧Ｖｒｅｆが入力され、出力端子から増幅された信号が出力される。また、積分容量が演算増幅器の反転入力端子と出力端子の間に配置される。サンプルホールド回路１０７は、サンプリングスイッチ、サンプリング容量を含む。また、読出回路１１３は、それぞれの増幅回路１０６から並列に読み出された信号を順次出力して直列の信号の画像信号として出力するマルチプレクサ１０８、画像信号をインピーダンス変換して出力するバッファ増幅器１０９を含む。バッファ増幅器１０９から出力されたアナログ電気信号である画像信号Ｖｏｕｔは、Ａ／Ｄ変換器１１０によってデジタルデータに変換される。例えば、放射線の照射中のデジタルデータは、演算部１１７に出力され、露光制御などに用いられうる。また、例えば、放射線の照射後のデジタルデータは、制御用コンピュータ２００へ出力され、制御用コンピュータ２００は、取得した信号を処理し放射線画像を生成しうる。
【００１８】
また、放射線撮像装置１００は、電源部として増幅回路の基準電源１１１、バイアス電源１０３を含む。基準電源１１１は、各演算増幅器の正転入力端子に基準電圧Ｖｒｅｆを供給する。バイアス電源１０３は、バイアス配線Ｂｓを介して変換素子１０２に共通にバイアス電圧Ｖｓを供給する。
【００１９】
駆動回路１１４は、制御部１１６から入力する制御信号ＣＰＶ、ＯＥ、ＤＩＯに応じて、スイッチ素子１０１を導通状態にする導通電圧Ｖｃｏｍと非道通状態とする非導通電圧Ｖｓｓを含む駆動信号を、行信号線Ｖｇに出力する。これによって、駆動回路１１４は、スイッチ素子１０１の導通状態および非導通状態を制御し、検出部１１２に配された複数の画素ＰＩＸを行単位で駆動する。駆動回路１１４の構成、および、制御部１１６と駆動回路１１４との接続に関しては後述する。
【００２０】
制御信号ＣＰＶは、駆動回路に用いられるシフトレジスタのシフトクロックである。制御信号ＤＩＯは、シフトレジスタにシフトクロックに応じてシフトを開始させるための信号である。制御信号ＯＥは、シフトレジスタの出力端を制御する信号である。以上の制御信号ＣＰＶ、ＤＩＯ、ＯＥによって、制御部１１６は、駆動回路１１４による検出部１１２の駆動の所要時間、走査方向を設定する。また、制御部１１６は、読出回路１１３に制御信号ＲＣ、制御信号ＳＨ、制御信号ＣＬＫを供給し、読出回路１１３のそれぞれの構成要素の動作を制御する。ここで、制御信号ＲＣは積分増幅器のリセットスイッチの動作を、制御信号ＳＨはサンプルホールド回路１０７の動作を、制御信号ＣＬＫはマルチプレクサ１０８の動作を制御するものである。
【００２１】
次いで、放射線撮像装置１００の制御部１１６と駆動回路１１４との接続、および、自動露出制御（ＡＥＣ）を用いた駆動方法について説明する。本実施形態の制御部１１６と駆動回路１１４との接続、および、駆動方法を説明する前に、まず、比較例について説明する。図３は、比較例における制御部１１６と駆動回路１１４との接続を示す等価回路である。
【００２２】
図３に示される構成において、放射線撮像装置１００は、１つの検出部１１２に対して複数（７つ）の読出回路１１３ａ〜１１３ｇと複数（７つ）の駆動回路１１４ａ〜１１４ｇとを含む。それぞれの駆動回路１１４ａ〜１１４ｇには、複数の画素ＰＩＸを行単位で駆動するための複数の行信号線Ｖｇがそれぞれ接続される。駆動回路１１４ａ〜１１４ｇには、制御部１１６から制御信号ＣＰＶ、ＯＥを供給する信号線がそれぞれ並列に接続され、制御信号ＤＩＯを供給する信号線が直列に接続されている。つまり、制御部１１６と駆動回路１１４とは、３つの信号線によって接続されている。
【００２３】
検出部１１２には、外付けのＡＥＣチャンバの関心領域に相当する座標に関心領域１〜５が配されている。関心領域１〜５には、それぞれ露出制御に用いるための画素（以下、検出画素と呼ぶ場合がある。）が配されている。ここでは、説明の簡単化のために５つの関心領域があるとして説明するが、関心領域の数は、これに限られることはなく、４つ以下であってもよいし、６つ以上であってもよい。また、関心領域の位置も、図３に示される位置に限られることはなく、任意の位置に設定されうる。本実施形態において、露出制御用の検出画素は、放射線画像を取得するための画素ＰＩＸの中から適宜選択される。しかしながら、これに限られることはなく、検出部１１２に複数のＡＥＣ専用の画素を配し、その中から任意の画素を選択してもよい。
【００２４】
関心領域１〜５に配される検出画素には、それぞれスイッチ素子１０１を制御する行信号線Ｖｇｂ（Ｒ１）〜Ｖｇｆ（Ｒ５）が接続されている。駆動回路１１４ｂが行信号線Ｖｇｂ（Ｒ１）を介して関心領域１の検出画素を駆動する。同様に駆動回路１１４ｃが行信号線Ｖｇｃ（Ｒ２）を介して関心領域２の検出画素を、駆動回路１１４ｄが行信号線Ｖｇｄ（Ｒ３）を介して関心領域３の検出画素を、駆動回路１１４ｅが行信号線Ｖｇｅ（Ｒ４）を介して関心領域４の検出画素を、駆動回路１１４ｆが行信号線Ｖｇｆ（Ｒ５）を介して関心領域５の画素をそれぞれ駆動する。
【００２５】
図４には、比較例における駆動回路１１４の動作を示すタイミング図が示される。図５は、本実施形態および比較例における放射線撮像装置１００の動作を示すフロー図である。図３〜５を用いて比較例におけるＡＥＣの駆動について説明する。
【００２６】
まず、Ｓ５０１においてユーザによる放射線画像の撮像の条件の設定など、撮像の準備が完了すると、放射線撮像装置１００は、Ｓ５０２に遷移する。Ｓ５０２において、放射線撮像装置１００は、空読みを開始する。空読みとは、検出部１１２のそれぞれの画素ＰＩＸのスイッチ素子１０１においてＯＮ／ＯＦＦ動作を繰り返し、画素ＰＩＸの暗電流をリセットするリセット動作である。制御部１１６は、フレーム単位で駆動回路１１４ａに制御信号ＤＩＯを供給し、駆動回路１１４ａ〜１１４ｇごとに制御信号ＣＰＶ、ＯＥを供給し順次走査させる。ここで、図４に示される「Ｖｇａ（０）」は、図３に示される駆動回路１１４ａに接続された行信号線の１本に対応する。例えば、駆動回路１１４ａが、５１２ｃｈの駆動回路である場合、駆動回路１１４ａには、行信号線Ｖｇａ（０）〜Ｖｇａ（５１１）の５１２本の行信号線に接続がされ、５１２ｃｈ分を順次走査する。他の駆動回路１１４ｂ〜１１４ｇも、基本的に同様である。検出画素も、それぞれ行信号線Ｖｇｂ（Ｒ１）〜Ｖｇｆ（Ｒ５）を介して順次走査され、暗電流がリセットされる。放射線撮像装置１００は、ユーザによる曝射スイッチの押下など、放射線の照射開始を示す信号が入力される（Ｓ５０３）まで、空読みを行う。
【００２７】
次いで、Ｓ５０３において、ユーザによって曝射スイッチの押下など放射線の照射開始が指示されると、放射線撮像装置１００は、Ｓ５０４に遷移する。Ｓ５０４において、放射線撮像装置１００は、ＡＥＣを用いて放射線画像の取得を行う。図４に示されるように、制御部１１６は、まず、準備動作を行い、次いで、蓄積動作を行う。準備動作とは、制御部１１６が、関心領域１に設定された検出画素が接続された行信号線Ｖｇｂ（Ｒ１）まで、制御信号ＤＩＯと複数回の制御信号ＣＰＶを駆動回路１１４に供給し、シフトレジスタを進行させる動作である。制御部１１６は、１つ目の検出画素が接続された行信号線Ｖｇｂ（Ｒ１）までシフトレジスタを進行させると、準備が完了したことを知らせる曝射許可信号を制御用コンピュータ２００に送信する。この曝射許可信号に応じて、制御用コンピュータ２００は、放射線制御装置３００を介して放射線発生装置４００に放射線の照射を開始させる。本実施形態において、放射線撮像装置１００は、曝射許可信号を制御用コンピュータ２００に送信するが、曝射許可信号を放射線制御装置３００に直接送信し、これに応じて、放射線発生装置４００が、放射線の照射を開始してもよい。
【００２８】
放射線の照射が開始されると、制御部１１６は、関心領域１〜５に配された検出画素から、順次、信号を読み出すための動作を行う。同時に、検出画素として設定された画素が接続された行信号線以外の行信号線に接続された画素は、放射線画像を取得するための蓄積動作を開始する。具体的には、制御部１１６は、制御信号ＣＰＶを出力しシフトレジスタを進行させ、駆動回路１１４が行信号線Ｖｇｂ（Ｒ１）〜ｆ（Ｒ５）選択した時点で、制御信号ＯＥを出力し、検出画素のスイッチ素子１０１のゲートがＯＮとなる信号を送り検出画素を駆動する。そして、制御部１１６は、フレーム単位で制御信号ＤＩＯを駆動回路１１４ａに供給し、ＡＥＣのための信号の取得を繰り返す。このとき、読出回路１１３は、検出画素から入射した放射線に応じた信号（電荷）を読み出し、演算部１１７は、検出画素から取得される信号に基づいて、入射した放射線の線量を計測する。例えば、演算部１１７、検出画素ごとに信号を加算していく。演算部１１７によって計測された放射線の線量が、予め設定された線量に到達した場合、放射線撮像装置１００の制御部１１６は、放射線撮像装置１００に放射線を照射するための放射線発生装置４００に、放射線の照射を停止するための信号を送信する。具体的には、演算部１１７によって加算された信号が予め定められた閾値に到達した時点で、制御部１１６は、制御用コンピュータ２００に曝射停止信号を送信する（Ｓ５０５）。この曝射停止信号に応じて、制御用コンピュータ２００は、放射線制御装置３００を介して放射線発生装置４００からの放射線の照射を停止させる（Ｓ５０６）。本実施形態において、放射線撮像装置１００は、曝射停止信号を制御用コンピュータ２００に送信するが、曝射停止信号を放射線制御装置３００に直接送信し、これに応じて、放射線発生装置４００が、放射線の照射を停止してもよい。また、演算部１１７によって計測された放射線の線量が、予め設定された線量に到達することが予想された場合に、制御部１１６は、曝射停止信号を制御用コンピュータ２００に送信してもよい。
【００２９】
放射線の照射が終了すると、制御部１１６は、本読み動作を行う。本読み動作は、駆動回路１１４から行信号線Ｖｇに順次、スイッチ素子１０１がＯＮ動作する導通電圧Ｖｃｏｍを印加し、それぞれの行信号線に接続された画素の変換素子１０２から、放射線の照射中に蓄積した信号（電荷）を読出回路１１３に読み出す動作である。読出回路１１３に読み出された信号は、デジタルデータに変換されて画像情報として制御用コンピュータ２００に転送される。制御用コンピュータ２００は、取得した画像情報から放射線画像を生成し、ディスプレイなどに表示する。
【００３０】
次に、比較例と対比する形で、図５〜１２を用いて本実施形態の放射線撮像装置１００の制御部１１６と駆動回路１１４との接続、および、ＡＥＣを用いる駆動方法について説明する。図６、９、１１は、本実施形態における制御部１１６と駆動回路１１４との接続を示す等価回路である。図７、１０、１２は、図６、９、１１のそれぞれの接続に応じた、駆動回路１１４の動作を示すタイミングチャート図である。
【００３１】
まず、図６、７を用いて、本実施形態の制御部１１６と駆動回路１１４との接続、および、ＡＥＣを用いた駆動方法について説明する。図３に示される比較例では、制御部１１６から制御信号ＣＰＶ、ＤＩＯ、ＯＥのそれぞれに対応する３つの信号線によって制御信号ＣＰＶ、ＤＩＯ、ＯＥが、それぞれの駆動回路１１４ａ〜１１４ｇにされていた。一方、図６に示される本実施形態では、制御部１１６から７つの駆動回路１１４ａ〜１１４ｇに対して、それぞれ３つずつ計２１本の信号線によって制御信号ＣＰＶａ〜ＣＰＶｇ、ＤＩＯａ〜ＤＩＯｇ、ＯＥａ〜ＯＥｇが供給されている。つまり、制御部１１６と駆動回路１１４とは、２１本の信号線によって接続されている。
【００３２】
放射線画像の撮像は、比較例と同様に図５に示されるフロー図に従って行われる。撮像の準備が完了する（Ｓ５０１）と、制御部１１６は、駆動回路１１４ａ〜１１４ｇに対して空読みを開始させる（Ｓ５０２）。このとき、制御部１１６は、比較例と異なり、駆動回路１１４ａ〜１１４ｇごとに制御信号ＤＩＯを供給する。また、制御部１１６は、駆動回路１１４ａ〜１１４ｇごとに制御信号ＣＰＶ、ＯＥを入力し順次走査させる。
【００３３】
次いで、Ｓ５０３において、ユーザによって曝射スイッチの押下など放射線の照射開始が指示されると、放射線撮像装置１００は、Ｓ５０４に遷移する。Ｓ５０４において、放射線撮像装置１００は、ＡＥＣを用いて放射線画像の取得を行う。図７に示されるように、制御部１１６は、まず、準備動作を行い、次いで、蓄積動作を行う。
【００３４】
本実施形態における準備動作について詳しく説明する。Ｓ５０４に遷移すると、放射線の照射前に、制御部１１６は、複数の画素ＰＩＸから放射線の照射中に入射した放射線の線量を計測し、露出制御を行うための２つ以上の検出画素を設定するために、複数の駆動回路１１４ａ〜１１４ｇのうち検出画素を駆動する２つ以上の駆動回路によって構成される駆動回路群に選択信号を供給する。具体的には、制御部１１６は、駆動回路１１４ａ〜１１４ｇのうち関心領域１〜５に配された検出画素が接続された駆動回路群の駆動回路１１４ｂ〜１１４ｆのそれぞれに、選択信号として機能する制御信号ＤＩＯｂ〜ＤＩＯｆ、ＣＰＶｂ〜ＣＰＶｆを出力する。これによって、駆動回路１１４ｂ〜１１４ｆのシフトレジスタを進行させ、駆動回路群に含まれる駆動回路１１４ｂ〜１１４ｆのそれぞれに、複数の行信号線Ｖｇのうち検出画素が接続された行信号線Ｖｇｂ（Ｒ１）〜Ｖｇｆ（Ｒ５）を選択させる。このとき、図７に示されるように、制御部１１６は、駆動回路群に含まれる駆動回路１１４ｂ〜１１４ｆに並行して選択信号（制御信号ＤＩＯ、ＣＰＶ）を供給してもよい。制御部１１６からそれぞれの駆動回路１１４ａ〜１１４ｇに個別に制御信号ＤＩＯ、ＣＰＶを供給可能な接続関係のため、駆動回路群に含まれる駆動回路１１４ｂ〜１１４ｆに並行して選択信号（制御信号ＤＩＯ、ＣＰＶ）を供給できる。これによって、準備動作の時間を短くすることができる。また、駆動回路１１４ａ〜１１４ｇごとに、選択信号（制御信号ＤＩＯ、ＣＰＶ）を供給する信号線が独立している。このため、制御部１１６は、駆動回路群に含まれる駆動回路１１４ｂ〜１１４ｆのそれぞれに複数の行信号線Ｖｇのうち検出画素が接続された行信号線Ｖｇｂ（Ｒ１）〜Ｖｇｆ（Ｒ５）を選択させる間に、駆動回路群に含まれない駆動回路１１４ａ、１１４ｇに、選択信号（制御信号ＤＩＯ、ＣＰＶ）を供給しなくてもよい。検出画素が接続された行信号線Ｖｇｂ（Ｒ１）〜Ｖｇｆ（Ｒ５）の選択が完了すると、準備が完了したことを知らせる曝射許可信号を制御用コンピュータ２００に送信する。この曝射許可信号に応じて、制御用コンピュータ２００は、放射線制御装置３００を介して放射線発生装置４００に放射線の照射を開始させる。上述したが、曝射許可信号は、放射線撮像装置１００から放射線制御装置３００に直接送信されてもよい。
【００３５】
放射線の照射が開始されると、制御部１１６は、関心領域１〜５に配された検出画素から、順次、信号を読み出すための動作を行う。同時に、検出画素として設定された画素が接続された行信号線以外の行信号線に接続された画素は、放射線画像を取得するための蓄積動作を開始する。具体的には、放射線の照射中に、制御部１１６は、複数の行信号線Ｖｇのうち選択された行信号線Ｖｇｂ（Ｒ１）〜Ｖｇｆ（Ｒ５）に接続された画素を駆動させるための駆動信号として機能する制御信号ＯＥｂ〜ＯＥｆを、駆動回路群に含まれるそれぞれの駆動回路１１４ｂ〜１１４ｆごとに個別に供給する。これによって、放射線撮像装置１００は、検出画素のそれぞれから露出制御を行うための信号を取得する。放射線の照射中に、制御部１１６は、駆動回路群（駆動回路１１４ｂ〜１１４ｆ）に含まれない駆動回路１１４ａ、１１４ｇに駆動信号（制御信号ＯＥ）を供給しない。また、放射線の照射中、駆動回路１１４ｂ〜１１４ｆが、検出画素が接続された行信号線Ｖｇｂ（Ｒ１）〜Ｖｇｆ（Ｒ５）を選択しているため、制御部１１６は、駆動回路群に含まれる駆動回路１１４ｂ〜１１４ｆに選択信号（制御信号ＤＩＯ、ＣＰＶ）を供給しない。つまり、放射線の照射中に、制御部１１６は、すべての駆動回路１１４ａ〜１１４ｇに、選択信号（制御信号ＤＩＯ、ＣＰＶ）を供給しなくてもよい。
【００３６】
制御部１１６は、図７に示されるように、制御信号ＯＥｂ〜ＯＥｇの順走査を１フレームとして検出画素からＡＥＣのための信号を読み出す動作を繰り返す。つまり、検出画素のそれぞれは、複数の駆動回路１１４ａ〜１１４ｇのうちそれぞれ異なる駆動回路１１４に接続されうる。同時に、読出回路１１３は、検出画素から入射した放射線に応じた信号（電荷）を読み出し、演算部１１７は、検出画素ごとに取得される信号を加算していく。演算部１１７によって加算された信号が予め定められた閾値に到達した時点で、制御部１１６は、制御用コンピュータ２００に曝射停止信号を送信する（Ｓ５０５）。この曝射停止信号に応じて、制御用コンピュータ２００は、放射線制御装置３００を介して放射線発生装置４００からの放射線の照射を停止させる（Ｓ５０６）。上述したように、曝射停止信号は、放射線撮像装置１００から放射線制御装置３００に直接送信されてもよい。また、曝射停止信号を送信するための閾値は、関心領域１〜５において共通であってもよいし、関心領域ごとに異なっていてもよい。放射線画像の撮像の条件などに応じて、適宜、設定されればよい。
【００３７】
放射線の照射が終了すると、制御部１１６は、本読み動作を行う。本読み動作は、駆動回路１１４から行信号線Ｖｇに順次、スイッチ素子１０１がＯＮ動作する導通電圧Ｖｃｏｍを印加し、それぞれの行信号線に接続された画素の変換素子１０２から、放射線の照射中に蓄積した信号（電荷）を読出回路１１３に読み出す動作である。読出回路１１３に読み出された信号は、デジタルデータに変換されて画像情報として制御用コンピュータ２００に転送される。制御用コンピュータ２００は、取得した画像情報から放射線画像を生成し、ディスプレイなどに表示する。
【００３８】
ここで、本実施形態の効果について説明する。ＡＥＣのために検出画素から信号を読み出す際に、上述の比較例では、検出部１１２のすべての行信号線Ｖｇに対してシフトレジスタを直列に進行させた。一方、図６、７に示されるように、本実施形態では、準備動作でシフトレジスタを予め検出画素が接続された行信号線Ｖｇｂ（Ｒ１）〜Ｖｇｆ（Ｒ５）まで進行させ、駆動回路１１４ｂ〜１１４ｆに行信号線Ｖｇｂ（Ｒ１）〜Ｖｇｆ（Ｒ５）を選択させておく。このため、シフトレジスタを進行が不要になり、放射線の照射中は、制御信号ＯＥをそれぞれの駆動回路１１４ｂ〜１１４ｆ（駆動回路群）に供給するのみで、ＡＥＣ用の信号の読み出しが可能になる。
【００３９】
例えば、ＡＥＣを行う際に、３５８４列の検出部１１２を５１２ｃｈの駆動回路１１４を７つ使用し、５つの関心領域１〜５を走査する場合を考える。シフトレジスタ進行させる制御信号ＣＰＶの供給、および、駆動回路１１４に画素ＰＩＸを駆動する導通電圧Ｖｃｏｍを出力させる制御信号ＯＥの供給を１ステップとすると、比較例では１フレームの走査に３５８４ステップが必要になる。一方、本実施形態では、５ステップで１フレームを走査することができる。つまり、放射線の照射中に、複数の関心領域の検出画素から信号を高速に読み出すことができる。これによって、一定の照射量や照射時間に対しては、読み出し回数を増やすことができるため、より精度の高いＡＥＣが可能となる。また、１フレームの走査時間を短縮することができるため、照射時間が短い場合であっても、ＡＥＣを行うことが可能となる。
【００４０】
このように、本実施形態において、ＡＥＣを行う際の関心領域の設定の自由度を高くしながら、複雑な回路構成を必要とせず、複数の関心領域から高速に信号を取得することが可能となる。これによって、高い精度と使い勝手のよいＡＥＣが行える放射線撮像装置１００が実現する。
【００４１】
本実施形態において、放射線の照射が開始されると、制御部１１６は、関心領域１〜５に配された検出画素から、順次、信号を読み出すための動作を行い、演算部１１７は、検出画素ごとに取得される信号を加算していく。つまり、それぞれの関心領域ごとに、制御部１１６は、演算部１１７によって加算された信号が予め定められた閾値に到達するか否かを判定してもよい。しかしながら、関心領域の設定はこれに限られることはない。例えば、演算部１１７は、関心領域１〜５のそれぞれの検出画素から出力される信号を合算（平均化）し、制御部１１６は、合算（平均化）された信号の累計値を閾値と比較することによって、露出制御を行ってもよい。つまり、図８に示されるように、関心領域１〜５の領域を含む１つの関心領域６を用いて、制御部１１６は、演算部１１７によって加算された信号が予め定められた閾値に到達するか否かを判定してもよい。放射線画像の撮像の条件などに応じて、適宜、関心領域１〜５と関心領域６とが使い分けられうる。関心領域１〜５と関心領域６との使い分けは、例えば、ユーザが、Ｓ５０１において制御用コンピュータ２００を操作することによって行われてもよい。また、制御部１１６が、Ｓ５０１において入力された撮像の条件に応じて、関心領域１〜５または関心領域６を選択してもよい。例えば、患者のポジショニングに応じて、立位であれば関心領域１〜５を用いて露出制御を行い、臥位であれば関心領域６を用いて露出制御を行ってもよい。
【００４２】
関心領域６を用いる場合、制御部１１６は、図７に示される動作と同様の動作を行ってもよい。演算部１１７は、それぞれの検出画素から取得した信号を合算または平均化した信号を加算していく。演算部１１７によって加算された信号が予め定められた閾値に到達した時点で、制御部１１６は、制御用コンピュータ２００に曝射停止信号を送信すればよい。また、関心領域６を用いる場合、それぞれの検出画素から出力される信号は、上述のように合算されうる。このため、検出画素が同じ列信号線Ｓｉｇに接続されている場合であっても、同時に信号を読み出すことが可能である。そこで、制御部１１６は、駆動回路１１４ｂ〜１１４ｆに制御信号ＯＥｂ〜ＯＥｆを同時に入力し、検出画素のそれぞれから露出制御を行うための信号を１ステップで取得してもよい。つまり、放射線の照射中に、制御部１１６は、複数の行信号線Ｖｇのうち選択された行信号線に接続された画素を駆動させるための駆動信号（制御信号ＯＥ）を、駆動回路群に含まれるそれぞれの駆動回路１１４に同時に供給する。これよって、検出画素のそれぞれから入射した放射線の線量を計測するための信号が、５つの検出画素から１ステップで取得できる。結果として、それぞれの検出画素から１回、信号を読み出す１フレームが１ステップごととなり、より精度が高いＡＥＣが実現できる。
【００４３】
次いで、図６、７に示される制御部１１６と駆動回路１１４との接続、および、ＡＥＣを用いた駆動方法の変形例について図９、１０を用いて説明する。上述の図６では、それぞれの駆動回路１１４ａ〜１１４ｇに対して、制御部１１６は、３つずつの信号線を用いて制御信号ＤＩＯ、ＣＰＶ、ＯＥを個別に供給することを説明した。つまり、制御部１１６は、複数の駆動回路１１４ａ〜１１４ｇのそれぞれの駆動回路ごとに個別に、駆動信号（制御信号ＯＥ）および選択信号（制御信号ＤＩＯ、ＣＰＶ）を供給可能な構成を備えていた。一方、図９に示される構成では、制御部１１６から関心領域１〜５として設定される領域の画素ＰＩＸに接続された５つ駆動回路１１４ｂ〜ｆに対して、それぞれ３つずつ計１５本の信号線が接続されている。また、関心領域として設定されない領域の画素ＰＩＸに接続された駆動回路１１４ａ、１１４ｇに対しては、制御信号ＣＰＶａ、ＯＥａを供給する信号線が並列に接続され、制御信号ＤＩＯａを供給する信号線が直列に接続されている。つまり、複数の画素ＰＩＸは、検出画素として設定可能な画素と、検出画素として設定不可能な画素と、を含む。これに対応して、制御部１１６は、複数の駆動回路１１４ａ〜１１４ｇのうち検出画素として設定可能な画素を駆動する駆動回路１１４ｂ〜１１４ｇごとに個別に、駆動信号（制御信号ＯＥ）および選択信号（制御信号ＤＩＯ、ＣＰＶ）を供給可能な構成を備える。
【００４４】
このようにすることで、図６に示される制御部１１６と駆動回路１１４との接続に対して、制御信号を供給するための信号線の数が減らすことができ、回路の縮小やコストを下げることができる。特に関心領域が設定されない領域の画素に接続される駆動回路１１４の数が多い場合、その効果は大きくなる。
【００４５】
図１０に示されるように、Ｓ５０４のＡＥＣを用いた放射線画像の取得において、図６に示される接続形態と同様に、複数の関心領域１〜５に配された検出画素から信号を高速に読み出すことができる。また、図１０に示されるように、制御部１１６は、駆動回路群に含まれる駆動回路１１４ｂ〜１１４ｆに並行して選択信号（制御信号ＤＩＯ、ＣＰＶ）を供給し、準備動作の時間を短くしてもよい。
【００４６】
これによって、一定の照射量や照射時間に対しては、読み出し回数を増やすことができるため、より精度の高いＡＥＣが可能となる。また、１フレームの走査時間を短縮することができるため、照射時間が短い場合であっても、ＡＥＣを行うことが可能となる。また、図９に示される構成においても、上述と同様に、関心領域１〜５を１つの関心領域６として用いることもできる。この場合、制御部１１６は、図１０に示される動作と同様の動作を行ってもよいし、駆動回路１１４ｂ〜１１４ｆに制御信号ＯＥｂ〜ＯＥｆを同時に入力し、検出画素のそれぞれから露出制御を行うための信号を１ステップで取得してもよい。
【００４７】
次に、図６、７に示される制御部１１６と駆動回路１１４との接続、および、ＡＥＣを用いた駆動方法のさらなる変形例について図１１、１２を用いて説明する。図１１に示される構成では、図６に示される構成と比較して、制御部１１６から駆動回路１１４ａ〜１１４ｇに制御信号ＣＰＶを供給する信号線が１つになっている。また、制御信号ＤＩＯを供給する信号線も１つである。一方、制御部１１６から関心領域１〜５として設定される領域の画素ＰＩＸに接続された５つ駆動回路１１４ｂ〜ｆに対して、制御信号ＯＥｂ〜ＯＥｆを供給する信号線は、それぞれ個別に配されている。また、関心領域として設定されない領域の画素ＰＩＸに接続された駆動回路１１４ａ、１１４ｇに対しては、制御信号ＯＥａを供給する信号線が並列に接続されている。つまり、複数の画素ＰＩＸは、検出画素として設定可能な画素と、検出画素として設定不可能な画素と、を含む。これに対応して、制御部１１６は、複数の駆動回路１１４ａ〜１１４ｇのうち検出画素として設定可能な画素を駆動する駆動回路１１４ｂ〜１１４ｇごとに個別に、駆動信号（制御信号ＯＥ）を供給可能な構成を備える。
【００４８】
このようにすることで、準備動作において、駆動回路１１４ｂ〜１１４ｆに検出画素が接続された信号線Ｖｇｂ（Ｒ１）〜Ｖｇｆ（Ｒ５）を選択させるためのステップ数は増加してしまう。しかしながら、図６、８に示される構成に対して、制御信号を供給するための信号線の数をさらに減らすことができ、回路の縮小やコストをさらに下げることができる。
【００４９】
図１２に示されるように、Ｓ５０４のＡＥＣを用いた放射線画像の取得において、図６に示される接続形態と同様に、複数の関心領域１〜５に配された検出画素から信号を高速に読み出すことができる。これによって、一定の照射量や照射時間に対しては、読み出し回数を増やすことができるため、より精度の高いＡＥＣが可能となる。また、１フレームの走査時間を短縮することができるため、照射時間が短い場合であっても、ＡＥＣを行うことが可能となる。また、図１１に示される構成においても、上述と同様に、関心領域１〜５を１つの関心領域６として用いることもできる。この場合、制御部１１６は、図１２に示される動作と同様の動作を行ってもよいし、駆動回路１１４ｂ〜１１４ｆに制御信号ＯＥｂ〜ＯＥｆを同時に入力し、検出画素のそれぞれから露出制御を行うための信号を１ステップで取得してもよい。
【００５０】
第２の実施形態
図１３（ａ）〜１６を参照して、本発明の一部の実施形態における放射線撮像装置について説明する。本実施形態において、放射線撮像装置１００の構成については、上述の第１の実施形態と同様であってもよいため、ここでは説明を省略する。
【００５１】
図１３（ａ）〜１３（ｄ）は、被写体と放射線撮像装置１００との配置関係を示す模式図である。図１３（ａ）に対して、図１３（ｂ）〜１３（ｄ）は、それぞれ放射線撮像装置１００が、被写体に対して９０°ずつ回転して配されている様子が描かれている。図１４〜１６は、本実施形態における駆動回路１１４の動作を示すタイミングチャート図である。空読み動作、準備動作、本読み動作は、上述の第１の実施形態と同様であってもよいため、ここでは説明を省略する。また、図１４〜１６に示されるタイミング図は、図１１に示される制御部１１６と駆動回路１１４ａ〜１１４ｇとの接続における動作を示したものである。
【００５２】
図１３（ａ）に示される配置において、上述の図１２のタイミング図で示される動作が行われるとする。これに対して、図１３（ｂ）〜１３（ｄ）に示されるような被写体と放射線撮像装置１００との配置となったとき、それぞれ図１４〜１６のタイミング図で示される駆動が行われてもよい。具体的には、図１３（ａ）の配置関係において、関心領域１→２→３→４→５の順序での検出画素から読み出しが行われる場合を考える。この場合、図１３（ｂ）の配置関係において、関心領域４→１→３→５→２の順序で、検出画素から読み出しが行われるように図１４に示される駆動を行ってもよい。同様に、図１３（ｃ）の配置関係において、関心領域５→４→３→２→１の順序で、検出画素から読み出しが行われるように図１５に示される駆動を行ってもよい。また、同様に、図１３（ｄ）の配置関係において、関心領域２→５→３→１→４の順序で、検出画素から読み出しが行われるように図１６に示される駆動を行ってもよい。このように放射線撮像装置１００を駆動することによって、被写体の部位に対して、常に一定の順序で関心領域から信号を読み出すことができ、精度よくＡＥＣを行うことができる。
【００５３】
被写体と放射線撮像装置１００との配置関係に応じた関心領域から信号を読み出す順番は、ユーザが任意で設定してもよい。また、例えば、図１３（ａ）〜１３（ｄ）に示されるように、放射線撮像装置１００が、複数の画素ＰＩＸが配された検出部１１２の面内方向の向きを検出するための回転検出部１２０をさらに含んでいてもよい。この場合、制御部１１６は、回転検出部１２０が検出した向きに応じて、検出画素から信号を取得する順番を変更してもよい。また、回転検出部１２０は、単独で面内方向の向きを検出してもよいし、撮影台などとの接続状況に応じて回転方向を認識してもよい。また、制御部１１６と駆動回路１１４との接続は、図６、９、１１に示される構成の何れであってもよい。
【００５４】
被写体と放射線撮像装置１００との配置関係によって、ＡＥＣを行う際の検出画素から信号を読み出す順番を変更する。これによって、ＡＥＣを行う際の関心領域の設定の自由度を高くしながら、複雑な回路構成を必要とせず、複数の関心領域から高速に信号を取得することが可能となる。これによって、高い精度と使い勝手のよいＡＥＣが行える放射線撮像装置１００が実現する。
【００５５】
第３の実施形態
図１３（ａ）、１７を参照して、本発明の一部の実施形態における放射線撮像装置について説明する。本実施形態において、放射線撮像装置１００の構成については、上述の第１の実施形態と同様であってもよいため、ここでは説明を省略する。図１７は、本実施形態における駆動回路１１４の動作を示すタイミングチャート図である。空読み動作、準備動作、本読み動作は、上述の第１の実施形態と同様であってもよいため、ここでは説明を省略する。また、図１７に示されるタイミング図は、図１１に示される制御部１１６と駆動回路１１４ａ〜１１４ｇとの接続における動作を示したものである。
【００５６】
被写体に対して図１３（ａ）のように放射線撮像装置１００が配された場合、関心領域１は左肺上部、関心領域２は右肺上部、関心領域３は背骨、関心領域４は左腹部、関心領域５は右腹部をそれぞれ透過した放射線によってＡＥＣが行われる。ここで、放射線は、被写体の部位ごとの透過率に応じて放射線撮像装置１００に入射する。一般的に被写体の部位ごとの透過率は、概ね左肺上部＝右肺上部＞左腹部＝右腹部＞背骨のようになる。このため、図１２に示される駆動で検出画素から信号を読み出した場合の１回あたりの信号値は、関心領域１＝２＞４＝５＞３となりうる。１回あたりのサンプリングされた信号値が多い場合、信号（電荷情報）が飽和して正しく判定できない場合がある。また、１回あたりのサンプリングされた信号値が小さい場合、信号がノイズに埋もれて放射線の照射の終了を正しく判定できなくなる可能性がある。
【００５７】
そこで、図１７に示される駆動方法では、関心領域１、２、関心領域３、関心領域４、５で、制御部１１６が制御信号ＯＥｂ〜ＯＥｆを供給する間隔を変えている。つまり、検出画素は、例えば関心領域１に配される検出画素と関心領域３に配される検出画素とを含み、放射線の照射中に、制御部１１６は、関心領域１に配される検出画素と関心領域３に配される検出画素とで、信号を取得するサンプリング周期を異ならせてもよい。被写体の透過率が、肺上部：右肺上部：背骨：左腹部：右腹部＝３：３：１：２：２であった場合、制御部１１６は、制御信号ＯＥｂ〜ＯＥｆを供給する間隔をＯＥｂ：ＯＥｃ：ＯＥｄ：ＯＥｆ：ＯＥｇ＝３：３：１：２：２とする。これによって、被写体の放射線の透過率の影響を抑制しながら、それぞれの関心領域１〜５に配された検出画素から、適切な信号を読み出すことができる。
【００５８】
関心領域ごとの放射線の透過率の設定は、ユーザが任意で設定してもよい。また、ＡＥＣを用いた撮影中に、読み出された信号の信号値から制御部１１６が自動で認識してもよい。また、制御部１１６と駆動回路１１４との接続は、図６、９、１１に示される構成の何れであってもよい。
【００５９】
本実施形態においても、ＡＥＣを行う際の関心領域の設定の自由度を高くしながら、複雑な回路構成を必要とせず、複数の関心領域から高速に信号を取得することが可能となる。これによって、高い精度と使い勝手のよいＡＥＣが行える放射線撮像装置１００が実現する。
【００６０】
発明は上記実施形態に制限されるものではなく、発明の精神及び範囲から離脱することなく、様々な変更及び変形が可能である。従って、発明の範囲を公にするために請求項を添付する。
【符号の説明】
【００６１】
１００：放射線撮影装置、１１４：駆動回路、１１６：制御部
【図１】
2020185342.tif 000003
【図２】
2020185342.tif 000004
【図３】
2020185342.tif 000005
【図４】
2020185342.tif 000006
【図５】
2020185342.tif 000007
【図６】
2020185342.tif 000008
【図７】
2020185342.tif 000009
【図８】
2020185342.tif 000010
【図９】
2020185342.tif 000011
【図１０】
2020185342.tif 000012
【図１１】
2020185342.tif 000013
【図１２】
2020185342.tif 000014
【図１３】
2020185342.tif 000015
【図１４】
2020185342.tif 000016
【図１５】
2020185342.tif 000017
【図１６】
2020185342.tif 000018
【図１７】
2020185342.tif 000019